(57)【要約】      （修正有）【課題】画像取り込み機構の構造、動作を簡略化し、装置の小型、軽量化、製造コストの低減、信頼性向上、メンテナンス工数の減少を図る。  【解決手段】表側ＣＩＳ３ｆの表側カバーガラス５ｆに表側白印刷部８ｆと表側ミラー部７ｆとを設け、裏側ＣＩＳ３ｂの裏側カバーガラス５ｂに裏側白印刷部８ｂと裏側ミラー部７ｂとを設ける。表側ＣＩＳ３ｆの表側レンズ９ｆを裏側ミラー部７ｂに対向させ、裏側ＣＩＳ３ｂの裏側レンズ９ｂを表側ミラー部７ｆに対向させて、原稿の表裏を読み取る。表側レンズ９ｆを裏側白印刷部８ｂに対向させ、裏側レンズ９ｂを表側ミラー部７ｆに対向させて白補正を行なう。読取と白補正との切替えは、裏側ＣＩＳ３ｂを左右に移動させて行なう。また表側ＣＩＳ３ｆと裏側ＣＩＳ３ｂは共通構造での実現が可能となる。【選択図】図１
2007281586.tif 000002
【特許請求の範囲】
【請求項１】
直交３軸Ｘ−Ｘ′、Ｙ−Ｙ′、Ｚ−Ｚ′を想定し、
Ｘ−Ｙ面に平行な原稿をＸ方向に送りながら、Ｙ軸と平行な長さを有するＣＩＳ（イメージセンサ）によって原稿を読み取る装置において、
原稿のＺ側に近接せしめて配置された表側ＣＩＳの表側カバーガラスに、表側ミラー部と表側白印刷部とが、Ｘ軸方向に並べて配列されているとともに、
原稿のＺ′側に近接せしめて配置された表側ＣＩＳの裏側カバーガラスに、裏側ミラー部と裏側白印刷部とが、Ｘ軸方向に並べて配列されていて、 
上記表側ＣＩＳと裏側ＣＩＳとの相対的な位置関係が、
イ．表側ＣＩＳの表側レンズが裏側ＣＩＳの裏側ミラー部に対向し、裏側ＣＩＳの裏側レ  ンズが表側ＣＩＳの表側ミラー部に対向する「読取状態」と、
ロ．表側ＣＩＳの表側レンズが裏側ＣＩＳの裏側白印刷部に対向し、裏側ＣＩＳの裏側レ  ンズが表側ＣＩＳの表側白印刷部に対向する「白補正状態」とに切り替え得るように、
上記裏側ＣＩＳ、および／または、表側ＣＩＳを、Ｘ−Ｘ′方向に平行移動せしめる手段が設けられていることを特徴とする、白基準切替機構を備えた画像入力装置。
【請求項２】
前記表側ＣＩＳの表側カバーガラスに設けられている表側白印刷部が、
「表側カバーガラスが表側レンズに対向している箇所」に近接せしめて、そのＸ′側に位置しているとともに、
前記裏側ＣＩＳの裏側カバーガラスに設けられている裏側白印刷部が、
「裏側カバーガラスが裏側レンズに対向している箇所」に近接せしめて、そのＸ側に位置していることを特徴とする、請求項１に記載の白基準切替機構を備えた画像入力装置。
【請求項３】
表側ＣＩＳの表側カバーガラスに前記の表側ミラー部が設けられている箇所は、前記表側白印刷部に近接せしめてそのＸ′側であり、
裏側ＣＩＳの裏側カバーガラスに前記の裏側ミラー部が設けられている箇所は、前記裏側白印刷部に近接せしめてそのＸ側であることを特徴とする、請求項２に記載の白基準切替機構を備えた画像入力装置。
【請求項４】
前記裏側ＣＩＳ、および／または、表側ＣＩＳを、Ｘ−Ｘ′方向に平行移動せしめる手段が、
Ｘ軸方向に設置されたスライド軸と、
上記スライド軸に嵌合され、ＣＩＳに取り付けられている軸受け機構と、
ＣＩＳをＸ軸方向に付勢しているスプリング手段と
上記スプリングの付勢力に抗してＣＩＳをＸ軸方向に駆動する手段と、
を具備していることを特徴とする、請求項１に記載の白基準切替機構を備えた画像入力装置。
【請求項５】
前記スプリングの付勢力に抗してＣＩＳをＸ軸方向に駆動する手段が、
プーリ軸によって回動可能に支承されたドリブンプーリと、
上記ドリブンプーリに固着された駆動レバーと、
ＣＩＳのケースに形成されて、上記駆動レバーに係合している係合凹部と、
前記ドリブンプーリを回転駆動するドライブプーリ、駆動ベルト、および駆動モータとから成ることを特徴とする、請求項４に記載の白基準切替機構を備えた画像入力装置。
【請求項６】
前記裏側ＣＩＳを構成している部材の内、裏側カバーガラスに設けられた裏側ミラー部および裏側白印刷部以外の部材の、少なくとも１部分を省略して成り、片面読取り機能を有している、請求項１に記載の白基替機構を備えた画像入力装置。 
【請求項７】
原稿を読み取るための「表側ＣＩＳと裏側ＣＩＳとを備えた画像入力装置」を白補正する方法において、
予め、表側ＣＩＳの表側カバーガラスに、表側白印刷部および表側ミラー部を設けるとともに、裏側ＣＩＳの裏側カバーガラスに、裏側白印刷部および裏側ミラー部を設けておき、
原稿を読み取るときは、表側ＣＩＳの表側レンズを裏側ＣＩＳの裏側ミラー部に対向させるとともに、裏側ＣＩＳの裏側レンズを表側ＣＩＳの表側ミラー部に対向させ、
白補正するときは、表側ＣＩＳの表側レンズを裏側ＣＩＳの裏側白印刷部に対向させるとともに、裏側ＣＩＳの裏側レンズを表側ＣＩＳの表側白印刷部に対向させることを特徴とする、白基準切替機構を備えた画像入力装置の白補正方法。
【発明の詳細な説明】
【技術分野】
【０００１】
本発明は、画像入力装置を構成しているイメージセンサ（ＣＩＳ）の白補正を行なうための装置、及び白補正を行なう方法に関するものである。
【背景技術】
【０００２】
画像入力装置は、複写機，ファクシミリ，コンピュータのスキャナとして、原稿の画像情報を自動的に読み取るために広く用いられている。
説明の便宜上、機器の上下，左右を簡単かつ明確に表すための座標軸を、次のように想定する。
図３は、画像読み取り装置の主な構成機器と原稿との関係位置を模式的に表した斜視図である。
原稿１はローラ２によって矢印Ｆ方向に送られる。上記原稿１の送り方向をＸとし、その反対方向をＸ′として、水平座標軸Ｘ−Ｘ′を想定するとともに、垂直座標軸Ｚ−Ｚ′を想定する。Ｙ−Ｙ′はＸ−Ｘ′に直行する水平座標軸である。
【０００３】
Ｙ軸方向の長さを有する表側ＣＩＳ３ｆが原稿１のＺ側（上方）に、裏側ＣＩＳ３ｂが原稿の下方に、それぞれ配置されている。
単に、細長い部材の姿勢のみを述べる際は、Ｘ軸方向，Ｙ軸方向などと表す。しかし、その方向を規定する場合は、Ｘ方向，Ｘ′方向、というように、ダッシの有無で方向を表す。ただし、本発明において座標軸は説明の便宜上のものであって、座標変換することも可能であり、画一的に構成を限定するものではない。
原稿の送り作動は、表側ＣＩＳ３ｆ及び裏側ＣＩＳ３ｂとの間の相対的なものであるから、原稿１を停止させておいて表側ＣＩＳ３ｆ及び裏側ＣＩＳ３ｂをＸ′方向（反矢印Ｆ方向）に移動させても同様である。
この図３の読取り装置において、裏側ＣＩＳ３ｂは表側ＣＩＳ３ｆに比して僅かにＸ′側に偏らせて配置されている。
【０００４】
イメージセンサの基本的な原理は、原稿に照明光を投射し、画像情報を含んだ反射光（もしくは透過光）を光センサで検出する。
図３の例においては、表側ＣＩＳ３ｆおよび裏側ＣＩＳ３ｂがＹ軸方向の長さを有し、その中に多数の光センサ素子がＹ軸方向に配列されているので、同時にＹ軸方向の１次元の画像情報が得られる。
このため、原稿１（または表側ＣＩＳ３ｆ及び裏側ＣＩＳ３ｂ）をＸ軸方向に定速で走査することにより、２次元（面）の画像情報を作り出すことができる。
【０００５】
イメージセンサは、原稿を読み取るための光源を内蔵しているが、その輝度を厳密に一定ならしめることは難しい。その理由は、一つには長時間における光源の経時変化が有り、更には比較的短時間における温度変化や汚れなども有るからである。
こうした光源の輝度変化に因る画像明度の誤差はシェーディング歪みと呼ばれ、これを防止し、ないしは補正する技術として白補正が提案されている。その代表的なものを、次の欄に特許文献として示す。
【特許文献１】特開平０９−２７０８８４号公報
【特許文献２】特開２００５−１６７８４９号公報
【特許文献３】特開２００１−３１３７９４号公報
【発明の開示】
【発明が解決しようとする課題】
【０００６】
本発明がその目的とする処は、白補正を行なうための白規準切替え機構、および同切替え操作を簡易化することにある。機構の簡素化によって、装置全体の小型，軽量化、及び製造コストの低減が期待される上に、作動信頼性が向上しメィンテナンス工数が減少することも期待し得る。
ただし、単に簡素化を図るというだけでなく、高精度の白補正が可能であり、白補正の特性が安定していることが必要なのは勿論である。  
【課題を解決するための手段】
【０００７】
前記の目的を達成するために創作した本発明の基本的な原理について、その１実施形態に対応する図１を参照しつつ略述すると次の通りである。すなわち、
ａ）基本的には両面読取り形とする。
ｂ）このため、図１（Ａ）に示されているように、表側ＣＩＳ３ｆと裏側ＣＩＳ３ｂとを配置するとともに、
表側ＣＩＳ３ｆの表側カバーガラス５ｆに、表側ミラー部７ｆと表側白印刷部８ｆとを設け、
裏側ＣＩＳ３ｂの裏側カバーガラス５ｂには、裏側ミラー部７ｂと裏側白印刷部８ｂとを設ける。
ｃ）この図１（Ａ）のように、表側ＣＩＳ３ｆの表側レンズ９ｆを裏側ＣＩＳ３ｂの裏側ミラー部７ｂに対向させるとともに、裏側ＣＩＳ３ｂの裏側レンズ９ｂを表側ＣＩＳ３ｆの表側ミラー部７ｆに対向させると、前記表裏のＣＩＳ３ｆ，３ｂは、それぞれ原稿（図示省略）の表裏を読み取ることが可能な状態になる。
ｄ）図１（Ｂ）のように、表側ＣＩＳ３ｆと裏側ＣＩＳ３ｂとの相対的な位置関係をＸ軸方向（図において左右方向）に変位させて、表裏それぞれのレンズ９ｆ，９ｂを、相手方カバーガラスの白印刷部８ｂ，８ｆに対向させると、該表裏それぞれのＣＩＳ３ｆ，３ｂは白補正可能な状態になる。
ｅ）このようにして、簡単な構成によって画像入力装置の読取り状態と白補正状態とを、迅速容易に切り替えることができる。
ｆ）上述した両面読取り形の応用として、裏側ＣＩＳ３ｂの構成部材の中で「裏側カバーガラス５ｂに設けられた裏側ミラー部７ｂと裏側白印刷部８ｂ」を残して、その他の部材の１部分を省略しても、片面読取り形の画像入力装置として機能し得る。  
【０００８】
以上に説明した原理に基づく具体的な構成として、請求項１に係る発明装置は、（図１参照）、
直交３軸Ｘ−Ｘ′、Ｙ−Ｙ′、Ｚ−Ｚ′を想定し、
Ｘ−Ｙ面に平行な原稿をＸ方向に送りながら、Ｙ軸と平行な長さを有するＣＩＳによって原稿を読み取る装置において、
原稿（１）のＺ側の面（表側の面）に近接せしめて配置された表側ＣＩＳ（３ｆ）の表側カバーガラス（５ｆ）に、表側ミラー部（７ｆ）と表側白印刷部（８ｆ）とが、Ｘ軸方向に並べて配列されているとともに、
原稿（１）のＺ′側の面（裏側の面）に近接せしめて配置された表側ＣＩＳ（３ｆ）の裏側カバーガラス（５ｂ）に、裏側ミラー部（７ｂ）と裏側白印刷部（８ｂ）とが、Ｘ軸方向に並べて配列されていて、 
上記表側ＣＩＳ（３ｆ）と裏側ＣＩＳ（３ｂ）との相対的な位置関係が、
イ．表側ＣＩＳ（３ｆ）の表側レンズ（９ｆ）が裏側ＣＩＳ（３ｂ）の裏側ミラー部（７  ｂ）に対向し、裏側ＣＩＳ（３ｂ）の裏側レンズ（９ｂ）が表側ＣＩＳ（３ｆ）の表側  ミラー部（７ｆ）に対向する読取状態と、
ロ．表側ＣＩＳ（３ｆ）の表側レンズ（９ｆ）が裏側ＣＩＳ（３ｂ）の裏側白印刷部（８  ｂ）に対向し、裏側ＣＩＳ（３ｂ）の裏側レンズ（９ｂ）が表側ＣＩＳ（３ｆ）の表側  白印刷部（８ｆ）に対向する読取状態とに切り替え得るように、
上記裏側ＣＩＳ（３ｂ）をＸ−Ｘ′方向に平行移動せしめる手段、および／または、表側ＣＩＳ（３ｆ）を、Ｘ−Ｘ′方向に平行移動せしめる手段が設けられていることを特徴とする。
【０００９】
請求項２に係る発明装置の構成は、前記請求項１の発明装置の構成要件に加えて、（図１参照）
前記表側ＣＩＳ（３ｆ）の表側カバーガラス（５ｆ）に設けられている表側白印刷部８ｆが、
「表側カバーガラス（５ｆ）が表側レンズ（９ｆ）に対向している箇所」に近接せしめて、そのＸ′側に位置しているとともに、
前記裏側ＣＩＳ（３ｂ）の裏側カバーガラス（５ｂ）に設けられている裏側白印刷部（８ｂ）が、
「裏側カバーガラス（５ｂ）が裏側レンズ（９ｂ）に対向している箇所」に近接せしめて、そのＸ側に位置していることを特徴とする。
【００１０】
請求項３に係る発明装置の構成は、前記請求項２の発明装置の構成要件に加えて、（図１参照）
表側ＣＩＳ（３ｆ）の表側カバーガラス（５ｆ）に前記の表側ミラー部（７ｆ）が設けられている箇所は、前記表側白印刷部（８ｆ）に近接せしめてそのＸ′側であり、
裏側ＣＩＳ（３ｂ）の裏側カバーガラス（５ｂ）に前記の裏側ミラー部（７ｂ）が設けられている箇所は、前記裏側白印刷部（８ｂ）に近接せしめてそのＸ側であることを特徴とする。
【００１１】
請求項４に係る発明装置の構成は、前記請求項１の発明装置の構成要件に加えて、（図２参照）
前記裏側ＣＩＳ、および／または、表側ＣＩＳを、Ｘ−Ｘ′方向に平行移動せしめる手段が、
Ｘ軸方向に設置されたスライド軸（１１）と、
上記スライド軸（１１）１１に嵌合され、ＣＩＳに取り付けられている軸受け機構（１２，１３）と、
ＣＩＳをＸ軸方向に付勢しているスプリング手段（１４）と、
上記スプリング手段の付勢力に抗してＣＩＳをＸ軸方向に駆動する手段と、
を具備していることを特徴とする。
【００１２】
請求項５に係る発明装置の構成は、前記請求項４の発明装置の構成要件に加えて、（図２参照）
前記スプリングの付勢力に抗してＣＩＳ（３ｂ）をＸ軸方向に駆動する手段が、
プーリ軸（２１）によって回動可能に支承されたドリブンプーリ（１７）と、
上記ドリブンプーリ（１７）に固着された駆動レバー（１５）と、
ＣＩＳのケースに形成されて、上記駆動レバー（１５）に係合している係合凹部（１６）と、
前記ドリブンプーリ（１７）を回転駆動するドライブプーリ（１９）と、
上記双方のプーリに巻き掛けられた駆動ベルト（２０）と、
前記ドライブプーリを回転させる駆動モータ（１８）と、を具備していることを特徴とする。
【００１３】
請求項６に係る発明の構成は、前記請求項１の発明装置の構成要件に加えて、（図１参照）、
前記裏側ＣＩＳ（３ｂ）を構成している部材の内、裏側カバーガラス（５ｂ）に設けられた裏側ミラー部（７ｂ）および裏側白印刷部（８ｂ）以外の部材の、少なくとも１部分を省略したことを特徴とする。
【００１４】
請求項７に係る発明方法の構成は、（図１参照）、
表側ＣＩＳ（３ｆ）と裏側ＣＩＳ（３ｂ）とを備えた画像入力装置によって、原稿を読み取る方法において、
予め、表側ＣＩＳ（３ｆ）の表側カバーガラス（５ｆ）に、表側白印刷部（８ｆ）と表側ミラー部（７ｆ）とを設けるとともに、 
裏側ＣＩＳ（３ｂ）の裏側カバーガラス（５ｂ）に裏側白印刷部（８ｂ）と裏側ミラー部（７ｂ）とを設けておき、
原稿の画像情報を読み取るときは、表側ＣＩＳ（３ｆ）の表側レンズ（９ｆ）を裏側ＣＩＳ（３ｂ）の裏側ミラー部（７ｂ）に対向させるとともに、裏側ＣＩＳ（３ｂ）の裏側レンズ（９ｂ）を表側ＣＩＳ（３ｆ）の表側ミラー部（７ｆ）に対向させた状態で読み取り、
白補正するときは、裏側ＣＩＳ（３ｂ）を表側ＣＩＳ（３ｆ）に対して相対的に移動させて、表側ＣＩＳ（３ｆ）の表側レンズ（９ｆ）を裏側ＣＩＳ（３ｂ）の裏側白印刷部（８ｂ）に対向させるとともに、裏側ＣＩＳ（３ｂ）の裏側レンズ（９ｂ）を表側ＣＩＳ（３ｆ）の表側白印刷部（８ｆ）に対向させた状態で表裏それぞれのＣＩＳの白補正操作を行なうことを特徴とする。
【発明の効果】
【００１５】
請求項１の発明装置は、（図１参照）表裏のＣＩＳ（３ｆ，３ｂ）の相対的な位置を、
イ．表側ＣＩＳ（３ｆ）の表側レンズ（９ｆ）が裏側ＣＩＳ（３ｂ）の裏側ミラー部（７  ｂ）に対向するとともに、裏側ＣＩＳ（３ｂ）の裏側レンズ（９ｂ）が表側ＣＩＳ（３ｆ）の表側  ミラー部（７ｆ）に対向する読取状態（Ａ）と、
ロ．表側ＣＩＳ（３ｆ）の表側レンズ（９ｆ）が裏側ＣＩＳ（３ｂ）の裏側白印刷部（８  ｂ）に対向するとともに、裏側ＣＩＳ（３ｂ）の裏側レンズ（９ｂ）が表側ＣＩＳ（３ｆ）の表側  白印刷部（８ｆ）に対向する読取状態（Ｂ）とに切替え操作し得るようになっているので、
ＣＩＳユニットをＸ軸方向に少し例えば５ミリメートル）移動させるだけで、「原稿を読み取る状態」と「白補正を行なう状態」との切り替え操作を迅速かつ容易に行なうことができる。
【００１６】
請求項２の発明装置を請求項１の発明装置に併用すると、  
前記表側ＣＩＳ（３ｆ）の表側カバーガラス（５ｆ）に設けられている表側白印刷部８ｆが、「表側カバーガラス（５ｆ）が表側レンズ（９ｆ）に対向している箇所」に近接せしめて、そのＸ′側に位置しているとともに、
前記裏側ＣＩＳ（３ｂ）の裏側カバーガラス（５ｂ）に設けられている裏側白印刷部（８ｂ）が、  「裏側カバーガラス（５ｂ）が裏側レンズ（９ｂ）に対向している箇所」に近接せしめて、そのＸ側に位置しているので、白基準として機能する白印刷部が読取り位置（レンズの配設位置）に近接しており、このため正確な基準設定が可能である。
すなわち、白基準が読取り位置から離れていることに因るシェーディング特性の変化を生じる虞れが無い。
【００１７】
請求項３の発明装置を前記請求項２の発明装置に併せて実施すると、（図１参照）
表裏のＳＩＳ（３ｆ，３ｂ）のカバーガラス（５ｆ，５ｂ）に設けられているミラー部（７ｆ，７ｂ）と表側白印刷部（８ｆ，８ｂ）とが互いに近接しているので、
読取り状態と白補正状態とを切り替えるために必要なＣＩＳのＸ軸方向移動距離が短くて済む。
移動距離が短いため、駆動手段が小型，軽量となり、しかも切替え所要時間が短く、切替え所要動力も少ない。  
【００１８】
請求項４の発明装置を請求項１の発明装置に併用すると（図２参照）、
Ｘ軸方向に設置されたスライド軸（１１）と、上記スライド軸（１１）に嵌合されてＣＩＳに取り付けられている軸受け機構（１２，１３）とを具備しているので、該ＣＩＳが正確にＸ軸方向に案内されて平行移動する。 
しかもスプリング手段（１４）が、常にＣＩＳをＸ軸方向に付勢しているので、該ＣＩＳは安定して読取り状態に保たれる。（注）画像入力装置の稼働を時間的に考察すると、読取り時間は白補正時間よりも遥かに長時間である。従って、読取り状態を安定に保持することの実用的価値が高い。
本請求項４は更に、上記スプリング手段の付勢力に抗してＣＩＳをＸ軸方向に駆動する手段を備えているので、必要に応じ、任意かつ即座にＣＩＳをＸ軸方向に移動させて白補正を行なうことができる。
白補正を終えた後、ＣＩＳを読取り状態に位置に復元させる操作も迅速容易に行なうことができる。
【００１９】
請求項５の発明装置を請求項４の発明装置に併せて実施すると、（図２参照）、
前記スプリングの付勢力に抗してＣＩＳをＸ軸方向に駆動する手段が、
プーリ軸（２１）によって回動可能に支承されたドリブンプーリ（１７）と、上記ドリブンプーリ（１７）に固着された駆動レバー（１５）と、ＣＩＳのケースに形成されて上記駆動レバー（１５）に係合している係合凹部（１６）と、前記ドリブンプーリ（１７）を回転駆動するドライブプーリ（１９）、駆動ベルト（２０）、および駆動モータ（１８）とから成っているので、
これらの駆動手段が前記スプリング手段（１４）と協働して、簡単な構成・単純な作動で、ＣＩＳをＸ軸方向に駆動することができる。すなわち、画像読取り状態と白補正状態とを一層迅速容易に切り替えることができる。
【００２０】
前記請求項１の発明装置に請求項６の発明に係る構成要件を適用すると（図１参照）、
前記裏側ＣＩＳ（３ｂ）を構成している部材の内、裏側カバーガラス（５ｂ）に設けられた裏側ミラー部（７ｂ）および裏側白印刷部（８ｂ）以外の部材の、少なくとも１部分を省略することにより、
請求項１の発明装置における「ＣＩＳユニットを少し移動させるだけで読取り状態と白補正状態とを迅速かつ容易に切り替えることができる」という効果を損なうことなく、さらに構造を簡略化して（必然的に小型軽量化されて）片面読取り形の画像入力装置を構成することができる。  
【００２１】
請求項７の発明方法によると、（図１参照）、
予め、表側ＣＩＳ（３ｆ）の表側カバーガラス（５ｆ）に、表側白印刷部（８ｆ）と表側ミラー部（７ｆ）とを設けるとともに、 
裏側ＣＩＳ（３ｂ）の裏側カバーガラス（５ｂ）に裏側白印刷部（８ｂ）と裏側ミラー部（７ｂ）とを設けておくことにより、
原稿（１）を読み取るときは、表側ＣＩＳ（３ｆ）の表側レンズ（９ｆ）を裏側ＣＩＳ（３ｂ）の裏側ミラー部（７ｂ）に対向させるとともに、裏側ＣＩＳ（３ｂ）の裏側レンズ（９ｂ）を表側ＣＩＳ（３ｆ）の表側ミラー部（７ｆ）に対向させて読み取り、
白補正するときは、裏側ＣＩＳ（３ｂ）を表側ＣＩＳ（３ｆ）に対して相対的に移動させて、表側ＣＩＳ（３ｆ）の表側レンズ（９ｆ）を裏側ＣＩＳ（３ｂ）の裏側白印刷部（８ｂ）に対向させるとともに、裏側ＣＩＳ（３ｂ）の裏側レンズ（９ｂ）を表側ＣＩＳ（３ｆ）の表側白印刷部（８ｆ）に対向させて白補正するという簡単な操作で、任意，所要の時機に、迅速に白補正を行なうことができる。
【発明を実施するための最良の形態】
【００２２】
図１は本発明装置の１実施形態を模式的に描いた断面図であって、（Ａ）は原稿を読み取る状態を示し、（Ｂ）は白補正を行なう状態を示している。
座標軸Ｘ−Ｘ′、Ｙ−Ｙ′は、前掲の図３を参照して約束したごとくである。ただし、本図１はＸ−Ｚ面による断面図であるから、Ｙ軸方向に細長い部材である表側ＣＩＳ３ｆや裏側ＣＩＳ３ｂは、その横断面が表されている。本発明に欠くことのできない構成は、このＸ−Ｚ断面図によって説明することができる。
【００２３】
この図１の実施形態は、本発明に係る両面読取り形の画像入力装置を構成したものであて、表側ＣＩＳ３ｆと裏側ＣＩＳ３ｂとを備えている。これら双方の機器（ＣＩＳ）は、ユニットとして見たとき、ほぼ同様の部材であるが、本実施形態においては次の点が相違している。
表側ＣＩＳ３ｆは、固定的に設置され、Ｚ方向（図において上向き）に反射された光束をセンサチップ１０で検知するようになっており、
裏側ＣＩＳ３ｂはＸ軸方向に平行移動可能に設置され（平行移動の機構に関しては、図２を参照して後述する）、Ｚ′方向（図において下向き）に反射された光束をセンサチップ１０′で検知するようになっている。
【００２４】
本図１は、読取り状態（Ａ）と白補正状態（Ｂ）とを対比して描いてあるが、（Ａ）、（Ｂ）両図とも、表側ＣＩＳ３ｆの位置は不変である。
参考線Ｒは、（Ａ）ずの表側ＣＩＳ３ｆと（Ｂ）図の表側ＣＩＳ３ｆとが左右に変位していないことを表している。
説明の便宜上、表側ＣＩＳ３ｆの表側レンズ９ｆの光軸ｍと、裏側ＣＩＳ３ｂの裏側レンズ９ｂの光軸ｎとを、Ｘ軸（左右）方向の相対的位置を示す目安とする。
先に述べたように表側ＣＩＳ３ｆの位置は紙面に対して不変であるから、２つのレンズ（９ｆ，９ｂ）の間の距離が、裏側ＣＩＳ３ｂの位置を表す指標となる。図１（Ａ）においては上記光軸ｍ，ｎ間の距離がαであり、図１（Ｂ）においては光軸ｍ，ｎ間の距離がβである。
【００２５】
読取り状態（Ａ）における前記の距離αと、白補正状態（Ｂ）における距離βとの関係は次の通りである。
β＝α−γとすれば、γは移動距離である。
α，β，γの値は、設計的に適宜に設定することができる。本実施形態においては、
α＝１４．５ミリメートル
γ＝６ミリメートルとした。
従って、β＝８．５ミリメートルとなる。
要点のみを具体的に抽出して考察すると、読取り状態（Ａ）に比して白補正状態（Ｂ）においては、裏側ＣＩＳ３ｂがＸ方向（右方向）へ６ミリメートル移動している。この状態の裏側ＣＩＳ３ｂは、Ｘ′方向（左方向）へ６ミリメートル移動して読取り状態（Ａ）
に復元することができる。
【００２６】
表側ＣＩＳ３ｆの表側カバーガラス５ｆには、表側白印刷部８ｆと表側ミラー部７ｆとが設けられている。詳しくは次の通りである。    
本図１は縮尺が小さくて、白印刷やミラーの詳細な構造を描き表せないので、
平行斜線を付してミラー部、すなわちミラーが設けられている区域の概要を示し、
斑点を付して白印刷部、すなわち白印刷を施してある区域の概要を示してある。
表側ミラー部７ｆは読み取り面であって、表側カバーガラス５ｆのＺ側（すなわち、表側ＣＩＳ３ｆを一つのアッセンブリユニットとして見たときの内側）にミラー蒸着、又は黒印刷を施してある。
【００２７】
上述のようにして、ミラー７ｆは表側カバーガラス５ｆで保護され、原稿（図示省略）に直接接触しないので、汚れたり傷ついたりしにくい。
同様に表側白印刷部８ｆも、表側カバーガラス５ｆの内側（Ｚ側）に白色の印刷または塗装が施されている。
本実施形態においては、大橋化学工業株式会社製のフェスタイト（商標名）Ｎｏ１４０（Ｎ）で、シルク印刷を施した。
以上は表側ＣＩＳ３ｆに設けた表側白印刷部８ｆと、同じく表側ミラー部７ｆとの説明であるが、裏側ＣＩＳ３ｂに設けた裏側白印刷部８ｂと裏側ミラー部７ｂについても同様である。
【００２８】
次に、前記白印刷部８ｆ，８ｂと、ミラー部７ｆ，７ｂとについて、その設置箇所の詳細と寸法とについて説明する。
表側カバーガラス５ｆが表側レンズ９ｆに正対している箇所は透明であり、光源４で照明されている。表側レンズ９ｆは上記透明部を通して相手方（裏側ＣＩＳ３ｂ）の裏側ミラー部７ｂに対向し、この状態で原稿（図示省略）の画像情報を読み取る。
上記の透明箇所（表側レンズ９ｆに対向している箇所）に隣接せしめてそのＸ′側（図において左側）に表側白印刷部８ｆが設けられている。
【００２９】
本実施形態における表側白印刷部８ｆの幅寸法（Ｘ軸方向の長さ寸法）は５ミリメートルである。すなわち前記の移動距離γ＝６ミリメートルに比して僅かに小さい。
白印刷部８ｆ，８ｂの幅寸法≒γ  又は、白印刷部８ｆ，８ｂの幅寸法≒γ−εであるということは、設計的配慮に属する事項ではあるが、本発明の効果を最大限に発揮させるために大切なノウハウである。ただし、εは微小寸法を表す。
裏側ＣＩＳ３ｂの裏側白印刷部８ｂも同様に、「裏側カバーガラス５ｂが裏側レンズ９ｂに対向している箇所」のＸ側に、近接して設けられている。
【００３０】
表側ＣＩＳ３ｆの表側ミラー部７ｆは、前記表側白印刷部８ｆに隣接させてそのＸ′側に配置されている。
上記表側ミラー部７ｆは、読取り状態（Ａ）において、裏側ＣＩＳ３ｂの裏側レンズ９ｂに対向している。
先に述べたように、表側ＣＩＳ３ｆの表側レンズ９ｆが読取り状態（Ａ）において裏側ミラー部７ｂに対向していることと相俟って、この状態で原稿（図示省略）の両面読み取りが行われる。
【００３１】
ここで御留意いただきたいことを次に述べる。表側ＣＩＳ３ｆと裏側ＣＩＳ３ｂとが相対的に移動しても、
表側レンズ９ｆに対する表側ミラー部７ｆや表側白印刷部８ｆの位置が固定的であり、
同様に裏側レンズ９ｂに対する裏側ミラー部７ｂや裏側白印刷部８ｂの位置が固定的である。
本発明の請求項２及び請求項３において、表裏の白印刷部の配設位置、及び表裏のミラー部の配設位置を厳密に規制しているのは、表側ＣＩＳと裏側ＣＩＳとの相対的移動に拘わらず、レンズとミラー部との位置関係、及び、レンズと白印刷との位置関係が不変であり、かつ重要だからである。
【００３２】
図１の（Ａ）と（Ｂ）とを対比して、裏側ＣＩＳ３ｂがＸ軸方向に移動する旨を述べたが、次に、上記移動の案内手段及び駆動手段について説明する。
図２は、前掲の図１（Ａ）に示した実施形態に係る画像入力装置に、その駆動機構を付記した正面図である。
図２を図１（Ａ）に比べると、表側ＣＩＳ３ｆは同じ機器を同じ方向から見て描いてあるが、部分的に切断した外観を描いてある。
裏側ＣＩＳ３ｂは、図１におけると同じ機器を同じ方向から見て描いてあるが、図１と異なる面で部分的に破断し、模式的に描いてある。
【００３３】
先に述べたように、表側ＣＩＳ３ｆは静止部材であるから、別段の駆動手段を備えていない。
一方、静止部材であるスライド軸１１がＸ軸方向に設置されるとともに、リニアブッシュ１２が該スライド軸に外嵌されている。
上記のリニアブッシュ１２は裏側ＣＩＳ３ｂに固定されている。これにより、裏側ＣＩＳ３ｂはＸ軸方向に平行移動するように案内される。
符号１３を付して示したのは補助ガイド板である。
【００３４】
さらに、裏側ＣＩＳ３ｂはスプリング１４によってＸ′方向に付勢されていて、この付勢力により、表裏のＣＩＳ３ｆ，３ｂは読取り状態（図１（Ａ）の状態）の位置関係に保たれる。
すなわち、図２に示した構成部分が別段の駆動力や外力を受けない場合は、図示の読取り状態が維持される。
画像入力装置は一般に、稼働時間の大半で読取り操作が行なわれ、白補正が行なわれる時間は比較的短い。このため、読取り状態の保持が安定していることの実用的な価値は多大である。
上述の構成，作用から容易に理解されるように、スプリング１４はテンションスプリングに限られるものではなく、またコイルスプリングに限られるものでもない。
スプリング以外の付勢力（例えば重錘、又は磁力など）を利用しても、本発明と均等な構成として本発明の技術的範囲に属する。
【００３５】
裏側ＣＩＳ３ｂのケースには係合凹部１６が形成されていて、この係合凹部に駆動レバー１５が係合している。
上記の駆動レバーはドリブンプーリ１７に固着されて、プーリ軸２１によって回動自在に枢支されている。
一方、駆動モータ１８の回転軸にはドライブプーリ１９が固着されていて、駆動ベルト２０がドライブプーリ１９とドリブンプーリ１７とに巻き掛けられている。これにより、駆動モータ１８を図の右回り（時計方向）に回転させるとドライブプーリ１９、及びドリブンプーリ１７が右回りに回動し、駆動レバー１５が矢印ｆ方向に回動せしめられる。
【００３６】
駆動レバー１５の回動（矢印ｆ）に押動されて裏側ＣＩＳ３ｂが矢印ＦのようにＸ方向に移動せしめられる。この矢印Ｆの方向は、前掲の図３における矢印Ｆと同じ（Ｘ方向）である。
裏側ＣＩＳ３ｂがＸ方向に移動すると、先に図１について説明したように白補正状態になる。
駆動モータ１８の通電を断って回転力を消失させると、裏側ＣＩＳ３ｂはスプリング１４の付勢力によってＸ′方向に移動し、読取り状態に復元する。
本発明を実施する場合、裏側ＣＩＳ３ｂをＸ方向に駆動する手段として、モータ以外の手段を用いることもでき、たとえば電磁石による吸引を利用しても本発明におけるモータと均等な構成であって、本発明の技術的範囲に属する。
【図面の簡単な説明】
【００３７】
【図１】本発明装置の１実施形態を示し（Ａ）は読取状態の断面正面図、（Ｂ）は白補正状態の断面正面図
【図２】前掲の実施形態における裏側ＣＩＳをＸ方向に駆動する手段を模式的に描いた部分破断正面図
【図３】画像入力装置の１例の斜視図に直交座標を付記した図
【符号の説明】
【００３８】
３ｂ…裏側ＣＩＳ、３ｆ…表側ＣＩＳ、４…光源、５ｂ…裏側カバーガラス、５ｆ…表側カバーガラス、７ｂ…裏側ミラー部、７ｆ…表側ミラー部、８ｂ…裏側白印刷部、８ｆ…表側白印刷部、９ｂ…裏側レンズ、９ｆ…表側レンズ、１０…センサチップ、１１…スライド軸、１２…リニアブッシュ、１３…補助ガイド板、１４…スプリング、１５…駆動レバー、１６…係合凹部、１７…ドリブンプーリ、１８…駆動モータ、１９…ドライブプーリ、２０…駆動ベルト、２１…プーリ軸。
【図１】
2007281586.tif 000003
【図２】
2007281586.tif 000004
【図３】
2007281586.tif 000005